(57)【要約】【課題】フィルムゲージと下絵を重ね合わせて相対スライドさせることで動画を生じさせる冊子を提供し、これにより、冊子類の販売促進効果を高める。【解決手段】冊子を開いたとき隣接して連続する第１紙面２０と第２紙面４０に対して、第１紙面２０から下絵フラップ２１を立設するとともに、第２紙面４０にフィルムゲージ４５を保持する。立設された下絵フラップ２１は、フィルムゲージ４５の下面側に差し込まれている。第１紙面２０と第２紙面４０を相対的に回動させると、これと連動して下絵フラップ２１がフィルムゲージ４５に対して相対的にスライドし、これにより動画が生じる。【選択図】図７
2010082805.tif 000002
【特許請求の範囲】
【請求項１】
複合画像（２６）で構成される下絵が表示された下絵フラップ（２１）と、当該下絵に対応するフィルムゲージ（４５）とを重ね、両者を相対的にスライド移動させることで、動画を生じさせる装飾要素を備えた冊子であって、
当該冊子を開いた場合に隣接して連続する第１紙面（２０）と第２紙面（４０）に対して、第１紙面（２０）から下絵フラップ（２１）が立設されるとともに、第２紙面（４０）にフィルムゲージ（４５）が保持され、かつ、立設された下絵フラップ（２１）は、フィルムゲージ（４５）の下面側に差し込まれていて、
第１紙面（２０）と第２紙面（４０）を相対的に回動させると、これと連動して下絵フラップ（２１）がフィルムゲージ（４５）に対して相対的にスライドし、これにより上記動画が生じることを特徴とする、冊子。
【請求項２】
上記第１紙面（２０）が冊子の表紙裏面であって、
当該表紙には、冊子を閉じたときでもフィルムゲージを外部から視認することを許容する開口（２３）が形成されていることを特徴とする、請求項１記載の冊子。
【請求項３】
上記下絵フラップ（２１）は、第１紙面（２０）において、第１紙面と第２紙面との境界線（ｃ）から一定距離（Ｌ）離れた位置から立ち上がるよう立設された上で、フィルムゲージ（４５）の下面側に差し込まれ、これにより、下絵フラップ（２１）のフィルムゲージ（４５）に対する密着性を高めていることを特徴とする、請求項１または２に記載の冊子。
【発明の詳細な説明】
【技術分野】
【０００１】
本発明は、複合画像で構成される下絵の上で、フィルムゲージをスライド移動させることで、絵が動いているかの如き視覚的効果を与える装飾要素を備えた冊子に関する。この冊子は、例えば、雑誌、カタログ、パンフレット、書籍として使用することができる。
【背景技術】
【０００２】
「下絵」と「フィルムゲージ」を利用して、パラパラ漫画とよく似た原理で、あたかも絵が動いているかのような視覚的効果を与える技術は、従来から知られている（例えば、特許文献１、２）。その原理を簡単に説明すると、次の通りである。
【０００３】
≪画素が２つの場合：図１、図２≫
図１は、「複合画像で構成される下絵」の作成原理を示している。ここでは、複合画像は、２つの画素から構成される。まず、画素１、２をそれぞれ等間隔“α”で間引いて、「残像」と「欠け」が繰り返す中間画素を作成する。次に、中間画像１の「欠け」部分に、中間画像２の「残像」部分が一致するようにして、両者を組み合わせて複合画像を作成する。
【０００４】
一方、図２に示したフィルムゲージは、透明の基材上に「黒塗りの細長い帯状領域」を等間隔で印刷したものであって、「帯状領域の幅」と「各帯状領域間の間隔」とが等しい（共に“α”）。
このフィルムゲージを複合画像上に重ね合わせて、両者を相対的にスライドさせると、図２に示したように、中間画素１の「残像」がフィルムゲージ上の各帯状領域間の透明領域にきたときに星形模様が視認される（Ａ）。
一方、中間画素２の「残像」がフィルムゲージ上の各帯状領域間の透明領域にきたときに丸形模様が視認される（Ｂ）。
【０００５】
以上の相対スライド動作を適度な速度で行うと、人間の目には、あたかも星形模様と丸形模様が動的に変化しているかのように視認される。
【０００６】
≪画素が３つの場合：図３、図４≫
以上に説明した画素が２つの場合は、（ｉ）画素を間引く際の「残像」と「欠け」の幅寸法を等しくし（“α”）、かつ、（ii）フィルムゲージ上の「帯状領域の幅」および「各帯状領域間の間隔」を共にこの“α”と等しくしている。
【０００７】
画素が３つの場合は、図３、図４に示したように、（ｉ）画素を間引く際に、「欠け」の幅寸法“β”を「残像」の幅寸法“γ”の２倍とし、（ii）フィルムゲージ上における「帯状領域の幅」を「欠け」の幅寸法“β”に等しく、「各帯状領域間の間隔」を「残像」の幅寸法“γ”に等しくする。
「欠け」の幅寸法“β”が「残像」の幅寸法“γ”の２倍であるため、中間画素１の「欠け」部分に他の２つの中間画素２、３の「残像」を収めることができ、したがって、３つの画素からなる複合画像を作成することができる。
【０００８】
そして、図４に示したように、中間画素１の「残像」がフィルムゲージ上の各帯状領域間の透明領域にきたときに星形模様が視認される（Ａ）。中間画素２の「残像」がフィルムゲージ上の各帯状領域間の透明領域にきたときに丸形模様が視認される（Ｂ）。中間画素３の「残像」がフィルムゲージ上の各帯状領域間の透明領域にきたときに菱形模様が視認される（Ｃ）。
【０００９】
同様の考え方で、画素が４つ、５つの場合にも、複合画像および対応するフィルムゲージを作成できる。
【００１０】
以上に説明した例では、ストライプ状のフィルムゲージを使用しているが、格子状のフィルムゲージと、これと対応する下絵とを利用して、同様の視覚的効果を与える構成も知られている。
ストライプ状のフィルムゲージの場合には、視覚的効果を得るために「下絵」と「フィルムゲージ」を相対移動させる方向は、ストライプに直交する１方向に限られる。これに対して、格子状のフィルムゲージの場合には、タテ、ヨコ、ナナメのいずれの方向に相対移動させた場合であっても、視覚的効果を得ることができる。
【００１１】
【特許文献１】特表２００７−５２６５００号
【特許文献２】実用新案登録第３０９５２６５号
【発明の開示】
【発明が解決しようとする課題】
【００１２】
本発明の第１の目的は、上記視覚的効果によって得られる動画を利用した冊子を提供して、これにより、冊子類の販売促進効果を高めることである。
【００１３】
また、「フィルムゲージ」と「下絵」を重ね合わせて相対スライドさせることで動画を生じさせる場合、相対スライドする「フィルムゲージ」および「下絵」は、適度に密着していることが好ましい。両者の隙間が大きいと、視覚的効果として得られる動画もボヤケたものとなってしまう。
したがって、本発明の第２の目的は、冊子に設けた「フィルムゲージ」と「下絵」の適度な密着性を実現することである。
【課題を解決するための手段】
【００１４】
本発明の冊子は、「複合画像で構成される下絵が表示された下絵フラップ」と「当該下絵に対応するフィルムゲージ」とを重ね、両者を相対的にスライド移動させることで、動画を生じさせる装飾要素を備える。
当該冊子を開いた場合に隣接して連続する第１紙面と第２紙面に対して、第１紙面から下絵フラップが立設されるとともに、第２紙面にフィルムゲージが保持される。第１紙面に立設された下絵フラップは、第２紙面に保持されたフィルムゲージの下面側に差し込まれている。
第１紙面と第２紙面を相対的に回動させると、これと連動して下絵フラップがフィルムゲージに対して相対的にスライドし、これにより上記動画が生じる。
【００１５】
「下絵」は、例えば図１〜４で説明したような「残像」と「欠け」で構成される複数の画素から作成される複合画像である。また、下絵に「対応するフィルムゲージ」とは、複合画像の「残像」および「欠け」に対応した「透明領域」および「不透明領域」を含み、相対スライドによって動画を生じさせるフィルムゲージを意味する。
また、フィルムゲージは、ストライプ状および格子状のいずれであってもよく、対応する下絵（複合画像）と相対スライドすることで動画を生じさせる。
【発明の効果】
【００１６】
上記構成を備えた本発明の冊子において、「フィルムゲージ」および「下絵」による上述の視覚的効果で得られる動画を、「冊子の内容と関連する」もの、あるいは人気キャラクターとすることで、宣伝効果あるいは販売促進効果を高めることができる。
【００１７】
「冊子の内容と関連する」とは、当該冊子の内容に直接関連するものに限られず、出版社その他に関連するものでもよく、広い意味で、何らかの関連があればよい。
【００１８】
また、本発明の冊子においては、下絵フラップは、第１紙面において、第１紙面と第２紙面との境界線から一定距離だけ離れた位置から立ち上がるよう立設された上で、フィルムゲージの下面側に差し込まれていることが好ましい。
これにより、「フィルムゲージ」と「下絵フラップ」が適度に密着するので、相対スライドにより得られる動画がクリアなものとなる。
【発明を実施するための最良の形態】
【００１９】
本発明の実施形態を添付の図面を参照して以下に詳細に説明する。図５（ａ）は、一実施形態に係る冊子を閉じた状態で示す斜視図で、図５（ｂ）は、これを開いた状態で示している。
【００２０】
本発明においては、冊子を開いた場合に隣接して連続する第１紙面および第２紙面に対して、下絵フラップとフィルムゲージで構成される装飾要素を設ける。図５の実施形態では、表紙１１の裏面が第１紙面２０を構成し、これに隣接する次ページが第２紙面４０を構成している。
【００２１】
図６は、この冊子１０の作成工程の一例を示している。この例では、“無線綴じ”で製本済みの冊子土台１０’に対して、要素Ａ、Ｂを接着固定している。すなわち、要素Ａは、第１紙面２０を構成する矩形の紙片２０と、折罫ａを介して連設された下絵フラップ２１とを備えていて、冊子土台１０’の対応する紙面２０’に紙片２０が接着固定される。
下絵フラップ２１上には、複合画像２６が表示される。複合画像２６は、下絵フラップ２１上に直接印刷されていても、別のシート片に印刷したものを貼り付けてもよい。
【００２２】
第１紙面２０を構成する紙片２０、および冊子土台１０’上の対応する紙面２０’の両方には矩形開口２３、２３’が形成されていて、要素Ａを冊子土台１０’に貼り付けたとき、両者が重なって１つの開口２３を構成する。この開口２３は窓として機能し、図５（ａ）に示したように、冊子を閉じた場合でも、冊子内のフィルムゲージ４５を外部から視認することが可能となる。
【００２３】
一方、要素Ｂは、第２紙面４０を構成する矩形の紙片４０と、折罫ｂを介して連設された固定紙片４１とを備えていて、冊子土台１０’上の対応する紙面４０’に固定紙片４１が接着固定される。
第２紙面４０を構成する矩形紙片４０には、矩形の開口４４が形成されていて、この開口４４を塞ぐようにして、フィルムゲージ４５が貼り付けられる。冊子土台１０’の紙面４０’上に固定紙片４１を貼り付けた後、第１紙面２０から立設された下絵フラップ２１を固定紙面４１上に沿わせ、その上から、フィルムゲージ４５を保持した矩形紙片４０を重ねて固定する。矩形紙片４０は、その両端領域４０ａにおいて、固定紙片４１に接着固定される。
【００２４】
下絵フラップ２１は、最終的には、要素Ｂの紙片４０、４１の間に挟まれた状態で、フィルムゲージ４５の下方側に延在するが、「第１紙面２０から立設する下絵フラップ２１を、第２紙面４０に保持されたフィルムゲージ４５の下面側に差し込んだもの」として把握することができる。
ただし、各構成要素の具体的な形状は、図示のものに限られず、適宜の形態を採用することが可能である。
【００２５】
図７は、組み立てた冊子１０と、生じる動画との関係を示している。第１紙面２０を閉じたり開いたりする動作に伴って、下絵フラップ２１がフィルムゲージ４５に対して相対的にスライド移動し、これによって、視覚的効果を利用した動画が現れる。図７では、３つの画素から構成される動画の一例を示しているが、具体的な図柄や画素の数は、任意に設定することができる。
生じる動画を、当該冊子の内容あるいは出版社と関連付けたものとすることで、宣伝効果あるいは販売促進効果を高めることができる。
【００２６】
なお、表紙に設けた窓２３は、必ずしも必要ではなく、省略することも可能である。しかし、窓２３が存在すると、冊子の表紙を開いたり、閉じたりする動作に伴って、より広範な角度からフィルムゲージの上に生じる動画を視認することができるというメリットがある。この構成は、特に冊子の陳列状態において、動画装飾要素の存在をアピールして、販売促進効果が期待できるという点で有利である。
【００２７】
≪格子状のフィルムゲージ≫
本発明においては、ストライプ状のフィルムゲージ４５に限らず、格子状のフィルムゲージ４５’を採用することも可能である（図６中の円内）。勿論、その場合には、下絵２６は、これに対応して動画を生じさせるものが採用される。
ストライプ状のフィルムゲージ４５の場合、一方向の相対スライドによって動画が生じるが、格子状のフィルムゲージ４５’の場合、タテ、ヨコ、ナナメのいずれの方向に相対スライドした場合でも動画が生じる。これは、要素Ａ、Ｂの貼付け精度が高くなく、相対スライド方向が予定の一方向から逸れた場合でも動画に変化が生じるという点で有効である。
【００２８】
≪下絵フラップとフィルムゲージとの密着性を高めるための構成：図８≫
下絵フラップ２１とフィルムゲージ４５を重ねて相対スライドさせることで動画を生じさせる場合、両者の隙間が大きいと、動画がボヤケて見えることがある。動画をクリアにするためには、下絵フラップ２１とフィルムゲージ４５を、適度に圧接させることが好ましい。
そのため、図示の例では、下絵フラップ２１が、第１紙面２０において、第１紙面２０と第２紙面２０との境界線“ｃ”から一定距離“Ｌ”だけオフセットした位置から立ち上がるよう構成している。すなわち、図８中に部分的に拡大して示したように、第１紙面２０から立ち上がる下絵フラップ２１の根元２１ａは、境界線“ｃ”から上方に距離“Ｌ”だけ離されている（オフセットされている）。これにより、下絵フラップ２１をフィルムゲージ４５に対して圧接させる力が生じる。つまり、下絵フラップ２１とフィルムゲージ４５が適度に密着して、クリアな動画を得ることができる。
【００２９】
≪無線綴じ、中綴じ、平綴じ、との関係≫
図示の例では、冊子１０は、一般に知られた“無線綴じ”という手法で製本されている。そして、対向して貼り付けられた要素Ａ、Ｂ（図６参照）の境界線“ｃ”に対して、下絵フラップ２１が距離“Ｌ”だけオフセットして配置されている。
しかし、本発明においては、“無線綴じ”に限らず、“中綴じ”、“平綴じ”等の任意の綴じ方を採用できる。これらは、いずれも一般的に知られた手法であるので、ここでは説明を省略する。
なお、具体的な綴じ方に応じて、要素Ａ、Ｂは、製本前に各紙面間に挟み込んでおく場合や、図６に示したように製本済の冊子土台に対して後から貼り付け固定する場合等があり、具体的な作成工程は、適宜設定することができる。
また、いずれの綴じ方を採用した場合であっても、境界線“ｃ”とは、冊子を開いた場合に、要素Ａ、Ｂの対向端縁により形成される両者の実質的な境界線を意味する。
【００３０】
≪他の構成≫
図示の例では、冊子１０の表紙１１側に下絵フラップ２１を設け、それに続く次ページにフィルムゲージ４５を保持しているが、逆の構成を採用してもよい。
その場合には、図６において、要素Ａを冊子土台１０’の紙面４０’に接着し、要素Ｂを冊子土台１０’の紙面２０’に接着すればよい。この場合、表紙１１の裏面が第２紙面で、それに続く次ページが第１紙面であると考えることができる。また、冊子表紙の窓２３は省略されることとなる。
【００３１】
さらに、図示していないが、本発明では、表紙を開いた時に露出する連続２ページに限らず、開いた時に隣接して連続する冊子中程の任意の２ページに対して、動画を生じさせる装飾要素を設けることができる。
また、図示したように要素Ａ、Ｂを個別に冊子に貼り付ける他に、予め要素Ａ、Ｂを連結してユニット化しておき、これを製本前に各紙面中に挟み込んでその後製本したり、あるいは製本後の冊子土台に貼り付けてもよい。
【図面の簡単な説明】
【００３２】
【図１】２つの画素から動画を生じさせる原理を示す説明図。
【図２】２つの画素から動画を生じさせる原理を示す説明図。
【図３】３つの画素から動画を生じさせる原理を示す説明図。
【図４】３つの画素から動画を生じさせる原理を示す説明図。
【図５】本発明の一実施形態に係る冊子を説明する斜視図。
【図６】図５の冊子を作成する工程の一例を説明する図。
【図７】図５の冊子と生じる動画との関係を説明する図。
【図８】下絵フラップとフィルムゲージの密着性を高めるための構成を示す部分拡大図。
【符号の説明】
【００３３】
１０  冊子
１０’  冊子土台
１１  表紙
２０  第１紙面
２１  下絵フラップ
２６  複合画像
２３  開口（窓）
４０  第２紙面
４１  固定紙片
４４  開口
４５  フィルムゲージ
【図１】
2010082805.tif 000003
【図２】
2010082805.tif 000004
【図３】
2010082805.tif 000005
【図４】
2010082805.tif 000006
【図５】
2010082805.tif 000007
【図６】
2010082805.tif 000008
【図７】
2010082805.tif 000009
【図８】
2010082805.tif 000010